(57)【特許請求の範囲】
【請求項１】
後方上部に室内空気の吸込口を、前方下部に室内への吹出口を設けた筐体の内側に温水を熱源とする熱交換器と、同熱交換器で暖められた空気を室内に送出する送風機と、同送風機等を制御する制御部とを備えてなるものにおいて、前記熱交換器に温風暖房用の熱交換部と、床暖房用の温水を生成させる熱交換部とを一体に設け、温風暖房運転と床暖房運転とを任意に行えるようにするとともに、温風暖房のみの運転では室外機からの温水を前記熱交換器全体に循環させるようにしてなることを特徴とする温水暖房機の室内機。
【請求項２】
前記室外機と前記温風暖房用の熱交換部とを繋ぐ温水経路の戻り管に温風暖房運転時のみ閉じる開閉弁Ａを設けると共に、前記床暖房用の熱交換部と前記床暖房パネルとを繋ぐ温水経路の往き管および戻り管に床暖房運転時に開く開閉弁Ｂおよび開閉弁Ｃを設け、かつ、前記温風暖房用の熱交換部の出口と前記床暖房用の熱交換部の入口との間、および、同熱交換部の出口と前記室外機への戻り管との間にそれぞれ温風暖房運転時のみ開く開閉弁Ｄおよび開閉弁Ｅを設けてなる請求項１記載の温水暖房機の室内機。
【請求項３】
前記室内機に床暖房用の温水を蓄える温水タンクと、同温水タンクの温水を床暖房パネルに循環させるポンプとを設けてなる請求項１記載の温水暖房機の室内機。
【請求項４】
前記床暖房用の熱交換部の出口と前記温水タンクの入口間に前記開閉弁Ｂを設けてなる請求項１〜３記載の温水暖房機の室内機。
【発明の詳細な説明】
【０００１】
【産業上の利用分野】
本発明はファンコンベクタと呼ばれる温水暖房機の室内機の構成ならびに運転制御に関する。
【０００２】
【従来の技術】
温水暖房機には例えば図３に示すようなファンコンベクタと呼ばれる室内機31と、油だき温水ボイラと呼ばれ、前記室内機31の熱源機として利用される室外機32とからなるものがある。室内機31にはその筐体33の後方上部に室内空気の吸込口34が有り、前方下部に室内への吹出口35が有り、内部には室外機32からの温水を熱源とする熱交換器36と、この熱交換器36で暖められた空気を室内へ送出する送風機37と、同送風機37を制御する制御部38とが有り、筐体33の前面上部には運転操作部39が、また、背面下部には図示はされてないが室内温度を検出する温度センサが設けられている。一方の室外機32側には温水を生成するボイラ40と、温水を蓄えるシスタンク41と、温水を室内機31へ循環させるポンプ42と、ボイラ40およびポンプ42等を制御する室外機制御部43が有り、この室外機制御部43と室内機31側の制御部38とは図示されてない信号線で結ばれ、また、室外機32と熱交換器36との間は温水の往き管44と戻り管45で繋がれている。
【０００３】
【発明が解決しようとする課題】
ところで、温水を利用する暖房機には上述のように構成された温水（温風）暖房機とは別に床暖房がある。これらは何れも室外機で生成された温水を利用するため、例えば上述の室外機32から室内機31に流入する温水を床暖房に利用できれば便利である。しかしながら、床暖房に用いる温水の温度は６０℃以下が適当であるのに対し、室外機32から熱交換器36に流入する温水の温度は約８０℃と高いためそのままでは床暖房に利用できないという問題点がある。また、熱交換器36から室外機32に戻る温水の温度は約６０℃まで低下しているので何とか床暖房に利用できるが、このような温水温度にするには室内機31側の送風機37を必ず運転しなければならないという条件が伴い、床暖房のみを行うことは不可能であった。したがって、本発明においては、これらの問題点を解決し、熱交換器36に流通させる温水を床暖房にも利用できるようにした温水暖房機の室内機を提供することを目的としている。
【０００４】
【課題を解決するための手段】
本発明は上記の課題を解決するためになされたものであり、後方上部に室内空気の吸込口を、前方下部に室内への吹出口を設けた筐体の内側に温水を熱源とする熱交換器と、同熱交換器で暖められた空気を室内に送出する送風機と、同送風機等を制御する制御部とを備えてなるものにおいて、前記熱交換器に温風暖房用の熱交換部と、床暖房用の温水を生成させる熱交換部とを一体に設け、温風暖房運転と床暖房運転とを任意に行えるようにするとともに、温風暖房のみの運転では室外機からの温水を前記熱交換器全体に循環させるようにした。
【０００５】
【作用】
上記の構成であれば、温風暖房用の熱交換部から床暖房用の熱交換部への熱伝導により床暖房用の温水を生成できるので温風暖房運転と床暖房運転を任意に行うことができると共に、温風暖房のみの運転では室外機からの温水を熱交換器全体に循環させるので熱交換器が有効活用され、温風暖房能力が高まる。
【０００６】
【実施例】
以下、本発明の一実施例を図１〜図２に基づいて説明する。図１は温水暖房機の概略構成を表したもので、１はファンコンベクタと呼ばれる室内機、２は油だき温水ボイラと呼ばれ、室内機１の熱源機として利用される室外機、３は床暖房パネルである。室内機１にはその筐体４の後方上部に室内空気の吸込口５が有り、前方下部に室内への吹出口６が有る。また、前方上部には運転操作部７が有り、後方には床暖房用の温水タンク８が設けられている。筐体４の内部には室外機２からの温水を熱源とする熱交換器９と、この熱交換器９で暖められた空気を室内へ送出する送風機10と、同送風機10等を制御する制御部11と、床暖房用の温水を循環させるポンプ12が配置されている。一方の室外機２側には図示はされてないが、従来例で説明したような温水を生成するボイラと、温水を蓄えるシスタンクと、温水を熱交換器９へ循環させるポンプと、ボイラおよびポンプ等を制御する室外機制御部等が有り、この室外機制御部と室内機１側の制御部11とは図示されてない信号線で結ばれている。
【０００７】
ところで、本実施例の特徴とするところは、熱交換器９に温風暖房用の熱交換部９ａと、この熱交換部９ａからの熱伝導により床暖房用の温水を生成させる熱交換部９ｂとを一体に設けて温風暖房運転と床暖房運転とを任意に行えるようにするとともに、熱交換器９と室外機２間および床暖房パネル３間の温水経路を図１に示すように構成して温風暖房のみの運転では室外機２からの温水を熱交換器９全体に循環させるようにしたことである。以下、温水経路について説明する。室外機２と熱交換部９ａの入口13との間は往き管14で繋がれ、熱交換部９ａの出口15と室外機２とを繋ぐ戻り管16には温風暖房運転時のみ閉じる開閉弁Ａ（17）が設けられている。一方、熱交換部９ｂの出口18と温水タンク８の入口とを繋ぐ温水経路と、床暖房パネル３と熱交換部９ｂの入口19とを繋ぐ戻り管20にはそれぞれ床暖房運転時に開く開閉弁Ｂ（21）と開閉弁Ｃ（22）とが設けられている。また、熱交換部９ａの出口15と熱交換部９ｂの入口19との間、および、同熱交換部９ｂの出口18と室外機２への戻り管16との間にはそれぞれ温風暖房運転時のみ開く開閉弁Ｄ（23）および開閉弁Ｅ（24）が設けられている。
【０００８】
図２は開閉弁17，21，22，23，24の開閉状態を運転形態別にまとめたものである。このように構成された温水経路を有するものでは、室外機２で生成された温水は往き管14を通って熱交換部９ａの入口13から入り、同熱交換部９ａの出口15から出て開閉弁17および戻り管16を通り、室外機２に戻る。その時、熱交換部９ｂで生成された温水は開閉弁21を介して温水タンク８に注がれ、ポンプ12の動作で往き管25から床暖房パネル３に循環し、戻りの温水は戻り管20および開閉弁22を通り、熱交換部９ｂの入口19に戻る。また、温風暖房運転のみが行われるときは開閉弁17，21，22，23，24が図２に示すような状態に制御されるので、室外機２で生成された温水は往き管14を通って熱交換部９ａの入口13から入り、同熱交換部９ａの出口15から出た後、開閉弁23を通って熱交換部９ｂの入口19に入り、同熱交換部９ｂの出口18から出た温水は開閉弁24および戻り管16を通り、室外機２に戻る。従って、温風暖房のみの運転では熱交換器９全体に室外機２からの温水が流れることになり、熱交換器９全体が有効に活用されることになる。なお、言うまでもないが、床暖房のみの運転では送風機10は運転停止されるようになっている。
【０００９】
【発明の効果】
以上、説明したような温水暖房機であるならば、温風暖房用の熱交換部から床暖房用の熱交換部への熱伝導により床暖房用の温水が生成されるので温風暖房運転と床暖房運転が任意に行えるとともに、温風暖房のみの運転では室外機からの温水が熱交換器全体に循環するので熱交換器全体が有効活用され、温風暖房能力が向上する。
【図面の簡単な説明】
【図１】本発明の一実施例を示す温水暖房機の概略構成図である。
【図２】本発明に係わる開閉弁の動作状態を示す図である。
【図３】従来例を示す温水暖房機の概略構成図である。
【符号の説明】
１  室内機（ファンコンベクタ）
２  室外機（油だき温水ボイラ）
３  床暖房パネル
４  筐体
８  温水タンク
９  熱交換器
10  送風機
11  制御部（室内機制御部）
12  ポンプ
17  開閉弁Ａ
21  開閉弁Ｂ
22  開閉弁Ｃ
23  開閉弁Ｄ
24  開閉弁Ｅ
【図１】
0003541442.tif 000002
【図２】
0003541442.tif 000003
【図３】
0003541442.tif 000004